(57)【要約】【課題】原寸大でない型紙画像から原寸大の型紙画像を手間なくかつ迅速に作成することを可能とする。【解決手段】型紙画像処理装置３００は、型紙を表す原寸大以外で表示された型紙画像を取得する画像読取部５と、取得した型紙画像の原寸を特定するためのサイズ画像を抽出する抽出部１０１と、抽出されたサイズ画像の大きさを特定する特定部１０２と、この抽出されたサイズ画像を画像認識又は文字認識することにより当該サイズ画像が示す寸法を取得する寸法取得部１０３と、画像読取部５にて取得した型紙画像の縦横比を維持しつつ当該画像の大きさを変更することにより、特定部１０２が特定したサイズ画像の大きさを、寸法取得部１０３が取得した寸法に一致させる変更部１０４と、変更部１０４が大きさを変更した型紙画像を原寸大の型紙画像として出力する出力部１０５とを備える。【選択図】図２
2020108127.tif 000002
【特許請求の範囲】
【請求項１】
型紙を表す原寸大以外で表示された型紙画像を取得する画像取得部と、
前記画像取得部が取得した型紙画像に含まれる画像であって前記型紙画像の原寸を特定するためのサイズ画像を抽出する抽出部と、
前記抽出部が抽出した前記サイズ画像の大きさを特定する特定部と、
前記抽出部が抽出した前記サイズ画像を画像認識又は文字認識することにより当該サイズ画像が示す寸法を取得する寸法取得部と、
前記画像取得部にて取得した型紙画像の縦横比を維持しつつ当該型紙画像の大きさを変更することにより、前記特定部が特定した前記サイズ画像の大きさを、前記寸法取得部が取得した前記寸法に一致させる変更部と、
前記変更部が大きさを変更した型紙画像を原寸大の型紙画像として出力する出力部と、を備える型紙画像処理装置。
【請求項２】
前記サイズ画像は、原寸大のときの各辺の予め定められた寸法である升目画像であり、
当該型紙画像処理装置は、前記升目画像の前記予め定められた寸法を記憶する寸法記憶部を備え、
前記特定部は、前記抽出部が抽出した前記升目画像の大きさを特定し、
前記寸法取得部は、前記抽出部にて前記升目画像が抽出された場合に、前記寸法記憶部から前記予め定められた寸法を取得し、
前記変更部は、前記画像取得部にて取得した型紙画像の縦横比を維持しつつ当該画像の大きさを変更することにより、前記特定部が特定した前記升目画像の大きさを、前記寸法取得部が取得した前記寸法に一致させる、請求項１に記載の型紙画像処理装置。
【請求項３】
前記サイズ画像は、基準となる長さを示すスケール線画像と、原寸大のときの当該スケール線画像の寸法を示す寸法文字画像とを含み、
前記特定部は、前記抽出部が抽出した前記スケール線画像の大きさを特定し、
前記寸法取得部は、前記抽出部が抽出した前記寸法文字画像を文字認識することにより、前記寸法文字画像が示す前記寸法を取得し、
前記変更部は、前記画像取得部にて取得した型紙画像の縦横比を維持しつつ当該画像の大きさを変更することにより、前記特定部が特定した前記スケール線画像の大きさを、前記寸法取得部が取得した前記寸法に一致させる、請求項１に記載の型紙画像処理装置。
【請求項４】
前記サイズ画像は、基準となる長さを示すスケール線画像と、原寸大のときの当該スケール線画像の縮尺を示す縮尺文字画像とを含み、
前記特定部は、前記抽出部が抽出した前記スケール線画像の大きさを特定し、
前記寸法取得部は、前記抽出部が抽出した前記縮尺文字画像を文字認識することにより、前記スケール線画像の縮尺を取得し、当該縮尺から前記スケール線画像の寸法を取得し、
前記変更部は、前記画像取得部にて取得した型紙画像の縦横比を維持しつつ当該画像の大きさを変更することにより、前記特定部が特定した前記スケール線画像の大きさを、前記寸法取得部が取得した前記スケール線画像の寸法に一致させる、請求項１に記載の型紙画像処理装置。
【請求項５】
前記画像取得部にて取得した型紙画像が矩形状であるか否かを判定する判定部と、
前記判定部が前記画像取得部にて取得した型紙画像が矩形状でないと判定すると、当該画像取得部にて取得した型紙画像を矩形状に変換する変換部と、を更に備え、
前記抽出部は、前記変換部が矩形状に変換した型紙画像に含まれる前記サイズ画像を抽出し、
前記特定部は、前記抽出部が抽出した前記サイズ画像の大きさを特定し、
前記寸法取得部は、前記抽出部が抽出した前記サイズ画像を画像認識又は文字認識することにより当該サイズ画像が示す前記寸法を取得し、
前記変更部は、前記変換部が矩形状に変換した型紙画像の縦横比を維持しつつ当該画像の大きさを変更することにより、前記特定部が特定した前記サイズ画像の大きさを、前記寸法取得部が取得した前記寸法に一致させる、請求項１乃至請求項４のいずれか一つに記載の型紙画像処理装置。
【請求項６】
前記画像取得部にて取得した型紙画像において前記サイズ画像が前記抽出部にて抽出されなかった場合に、操作者に対して前記サイズ画像の追記を促す報知を行う報知部と、
前記サイズ画像が追記された型紙画像を取得する指示を受け付ける操作部と、を更に備え、
前記画像取得部は、前記操作部が、前記サイズ画像が追記された型紙画像を取得する指示を受けた場合に、当該画像を取得する、請求項１乃至請求項５のいずれか一つに記載の型紙画像処理装置。
【請求項７】
請求項１乃至請求項６のいずれか一つに記載の型紙画像処理装置と、
前記出力部が出力した前記型紙画像を記録紙に形成する画像形成部と、を備える画像形成装置。
【発明の詳細な説明】
【技術分野】
【０００１】
本発明は、型紙画像処理装置および画像形成装置に関し、特に、原寸大でない型紙画像から原寸大の型紙画像を手間なくかつ迅速に作成するための技術に関する。
【背景技術】
【０００２】
特許文献１には、作成したい服装の大きさに適合したサイズの型紙や、必要とする型紙を簡単な指定操作で迅速かつ簡単に得ることができる電子機器が開示されている。
【先行技術文献】
【特許文献】
【０００３】
【特許文献１】特開２００１−１１７２２号公報
【発明の概要】
【発明が解決しようとする課題】
【０００４】
しかしながら、特許文献１に記載の電子機器では、各種サイズの原寸大の型紙画像を予め保持しておき、その保持している各種サイズの原寸大の型紙画像の中から、作成したいサイズの型紙画像を読み出して、型紙を印刷するだけであり、原寸大でない型紙画像から原寸大の型紙画像を生成することはできない。
【０００５】
本発明は、上記の事情に鑑みなされたものであり、原寸大でない型紙画像から原寸大の型紙画像を手間なくかつ迅速に作成することを可能とすることを目的とする。
【課題を解決するための手段】
【０００６】
本発明の一局面にかかる型紙画像処理装置は、型紙を表す原寸大以外で表示された型紙画像を取得する画像取得部と、
前記画像取得部が取得した型紙画像に含まれる画像であって前記型紙画像の原寸を特定するためのサイズ画像を抽出する抽出部と、
前記抽出部が抽出した前記サイズ画像の大きさを特定する特定部と、
前記抽出部が抽出した前記サイズ画像を画像認識又は文字認識することにより当該サイズ画像が示す寸法を取得する寸法取得部と、
前記画像取得部にて取得した型紙画像の縦横比を維持しつつ当該型紙画像の大きさを変更することにより、前記特定部が特定した前記サイズ画像の大きさを、前記寸法取得部が取得した前記寸法に一致させる変更部と、
前記変更部が大きさを変更した型紙画像を原寸大の型紙画像として出力する出力部と、を備えるものである。
【０００７】
また、本発明の他の一局面にかかる画像形成装置は、上記の型紙画像処理装置と、
前記出力部が出力した前記型紙画像を記録紙に形成する画像形成部と、を備えるものである。
【発明の効果】
【０００８】
本発明にかかる型紙画像処理装置によれば、原寸大でない型紙画像から原寸大の型紙画像を手間なくかつ迅速に作成することができる。また、本発明にかかる画像形成装置によれば、原寸大の型紙画像を手間なくかつ迅速に記録紙に形成することができる。
【図面の簡単な説明】
【０００９】
【図１】本発明の第１実施形態にかかる画像形成装置の外観を示す斜視図である。
【図２】第１実施形態の画像形成装置の主要内部構成例を示す機能ブロック図である。
【図３】型紙印刷処理の一例を示すフローチャートである。
【図４】（Ａ）は原寸大でない型紙画像及び升目画像の一例を示す図、（Ｂ）は（Ａ）に示した型紙画像を原寸台に変更した型紙画像の一例を示す図である。
【図５】（Ａ）は原寸大でない型紙画像及び寸法文字画像等の一例を示す図、（Ｂ）は（Ａ）に示した型紙画像を原寸台に変更した型紙画像の一例を示す図である。
【図６】（Ａ）は原寸大でない型紙画像及び縮尺文字画像等の一例を示す図、（Ｂ）は（Ａ）に示した型紙画像を原寸台に変更した型紙画像の一例を示す図である。
【図７】第２実施形態にかかる画像形成装置の主要内部構成例を示す機能ブロック図である。
【図８】（Ａ）は原寸大でない斜視の型紙画像の一例を示す図、（Ｂ）は（Ａ）に示した斜視の型紙画像から正対画像に変更された型紙画像の一例を示す図である。
【図９】変形例にかかる型紙印刷処理の一例を示すフローチャートである。
【発明を実施するための形態】
【００１０】
以下、本発明の一実施形態にかかる型紙画像処理装置及び画像形成装置について図面を参照して説明する。図１は、本発明の第１実施形態にかかる画像形成装置の外観を示す斜視図である。本発明の一実施形態にかかる画像形成装置１は、例えば、コピー機能、プリンター機能、スキャナー機能、及びファクシミリ機能のような複数の機能を兼ね備えた複合機である。
【００１１】
図１に示すように、画像形成装置１は、装置本体２と、装置本体２の上方に配置された画像読取部５と、画像読取部５と装置本体２との間に設けられた連結部３とから構成される。
【００１２】
画像形成装置１の外郭を構成する筐体７には、画像形成装置１の様々な機能を実現するための複数の構成機器が収容されている。例えば、筐体７には、画像読取部５、画像形成部１２（図２）、定着部１３（図２）、給紙部３０等が収容されている。
【００１３】
画像読取部５は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像形成装置１が画像読取動作を行う場合、画像読取部５は、原稿搬送部６により搬送されてくる原稿又は不図示のコンタクトガラスに載置された原稿を１枚ずつ読み取ることで、原稿の画像を取得する。また、画像読取部５は、型紙を表す型紙画像を印刷した印刷紙を読み取ることで、型紙画像を取得する。第１実施形態の型紙画像としては、例えば、革製品などの小物の型紙、犬などの小動物用の衣服の型紙などが挙げられる。なお、画像読取部５は、特許請求の範囲における画像取得部の一例となる。
【００１４】
画像形成部１２は、感光体ドラム、帯電装置、露光装置、現像装置、及び転写装置を備え、画像読取部５によって読み取られた画像や、ネットワーク接続されたパーソナルコンピューターなどのコンピューター２００や他のファクシミリ装置から送られてくる印刷データを用いて、給紙部３０から供給される記録紙に画像を形成（印刷）する。画像形成済みの記録紙は定着部１３による定着処理を受けた後、排出トレイ４に排出される。
【００１５】
操作部４７は、例えば、当該画像形成装置１により可能な機能の実行を指示するためのスタートキーや操作者の操作を確定させる決定キー（エンターキー）、更に、数値入力を行うための数値入力キー等を備える。
【００１６】
また、操作部４７は、操作者への操作案内等を表示する表示部４７３を備えている。表示部４７３はタッチパネルになっており、操作者は表示部４７３に表示される画像やアイコンに触れることで画像形成装置１を操作することができる。
【００１７】
次に、画像形成装置１の構成を説明する。図２は画像形成装置１の主要内部構成例を示す機能ブロック図である。なお、型紙画像処理装置３００は、画像形成装置１において、画像形成部１２、定着部１３及び駆動モーター７０を除いた構成である。
【００１８】
画像形成装置１は、制御ユニット１０を備える。制御ユニット１０は、プロセッサー、ＲＡＭ(Random Access Memory）、及びＲＯＭ（Read Only Memory）などから構成される。プロセッサーは、ＣＰＵ（Central Processing Unit）、ＭＰＵ(Micro-Processing Unit）、又はＡＳＩＣ（Application Specific Integrated Circuit）等である。
【００１９】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。
【００２０】
画像処理部３１は、画像読取部５で読み取られた原稿画像を、必要に応じて画像処理する。例えば、画像処理部３１は、画像読取部５により読み取られた画像が画像形成部１２により画像形成された後の品質を向上させるために、シェーディング補正等の予め定められた画像処理を行う。
【００２１】
画像メモリー３２は、画像読取部５による読取で得られた原稿画像を一時的に記憶したり、画像形成部１２による画像形成の対象となる画像を一時的に保存したりする領域である。
【００２２】
画像形成部１２は、画像読取部５で読み取られた原稿画像、ネットワーク接続されたコンピューター２００から受信した印刷データ等の画像形成を行う。
【００２３】
定着部１３は、画像形成部１２の画像形成処理により表面に画像（トナー像）が形成された記録紙を加熱し、熱圧着により当該画像を記録しに定着させる定着処理を行う。
【００２４】
操作部４７は、画像形成装置１が実行可能な各種動作及び処理について操作者からの指示を受け付ける。操作部４７は、操作者への操作案内等を表示する表示部４７３を備えている。
【００２５】
ファクシミリ通信部７１は、図略の符号化／復号化部、変復調部及びＮＣＵ（Network Control Unit）を備え、公衆電話回線網を用いてのファクシミリの送受信を行うものである。また、ファクシミリ通信部７１は、原寸大でない型紙画像をファクシミリ通信によって受信することで、型紙画像を取得する。なお、ファクシミリ通信部７１は、特許請求の範囲における画像取得部の一例となる。
【００２６】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。画像形成装置１には複数のコンピューター２００が接続され得る。また、ネットワークインターフェイス部９１は、原寸大でない型紙画像をコンピューター２００から受信することで、型紙画像を取得する。なお、ネットワークインターフェイス部９１は、特許請求の範囲における画像取得部の一例となる。
【００２７】
ＨＤＤ（Hard Disk Drive）９２は、各種のデータやプログラム、画像読取部５によって読み取られた原稿画像等を記憶する大容量の記憶装置である。また、ＨＤＤ９２は、後述する図４（Ｂ）に示す升目画像ＩＧの原寸大のときの各辺の予め定められた寸法（例えば１０ｍｍ）を記憶する寸法記憶部９２１を備えている。
【００２８】
駆動モーター７０は、画像形成部１２や定着部１３等における各回転部材及び搬送ローラー対等に回転駆動力を付与する駆動源である。
【００２９】
更に、画像形成装置１は、制御ユニット１０（より正確に言えば、制御ユニット１０における型紙印刷機能の構成）と、寸法記憶部９２１を備えるＨＤＤ９２とを備えており、詳細は後述するが、原寸大でない型紙画像を原寸大の型紙画像に変更して印刷することが可能となっている。すなわち、画像形成装置１は、原寸大の型紙画像の生成機能と印刷機能とを有している。
【００３０】
制御ユニット１０は、制御部１００と、抽出部１０１と、特定部１０２と、寸法取得部１０３と、変更部１０４と、出力部１０５と、を備える。
【００３１】
制御ユニット１０は、ＨＤＤ９２に記憶された制御プログラムが上記プロセッサーで実行されることにより、制御部１００と、抽出部１０１と、特定部１０２と、寸法取得部１０３と、変更部１０４と、出力部１０５として機能する。なお、制御ユニット１０の上記の各構成要素は、前述の制御プログラムに基づく動作によらず、それぞれハード回路により構成されてもよい。
【００３２】
制御部１００は、画像形成装置１の全体的な動作制御を司る。また、制御部１００は、画像読取部５、原稿搬送部６、画像処理部３１、画像メモリー３２、画像形成部１２、定着部１３、操作部４７、表示部４７３、ファクシミリ通信部７１、ネットワークインターフェイス部９１、及びＨＤＤ（ハードディスクドライブ）９２等と接続され、これら各部の駆動制御を行う。
【００３３】
制御部１００は、操作者からの操作部４７への型紙印刷モード指示に基づいて、型紙印刷モードをオン状態にセットする。例えば、制御部１００は、操作部４７が型紙印刷モード指示を受け付けると、型紙印刷モードフラグをオンにし、操作部４７への型紙印刷モードの解除指示があった場合又は操作部４７への型紙印刷以外の指示（例えば、通常の印刷、スキャン指示など）があった場合に、型紙印刷モードフラグをオフにする。
【００３４】
画像読取部５は、操作者（例えばユーザーなど）が例えばインターネット上で見つけた型紙を表す型紙画像を印刷した印刷紙を読み取ることにより、型紙画像を取得する。ここでは、操作者が入手した型紙画像は、原寸大以外で表示された画像であるため、印刷物上の型紙画像についても原寸大以外の大きさとなっている。なお、この型紙画像は、操作者が正当に使用可能な型紙画像（著作権フリーの型紙画像、使用許諾を受けた型紙画像、商業利用可能な型紙画像など）である。例えば、画像読取部５は、後述する図４（Ａ）、図５（Ａ）及び図６（Ａ）に示す各種の原寸大でない型紙画像ＩＮＰをそれぞれ取得する。図４（Ａ）、図５（Ａ）及び図６（Ａ）に示すように、型紙画像ＩＮＰには、型紙形状を示す型紙パターンＩＰが記載されている。
【００３５】
抽出部１０１は、画像読取部５が取得した型紙画像ＩＮＰに含まれる画像であって型紙画像の原寸を特定するためのサイズ画像を抽出する。例えば、サイズ画像としては、後述する図４（Ａ）、図５（Ａ）及び図６（Ａ）に示す各種のサイズ画像ＩＳ等がある。図４（Ａ）に示すサイズ画像ＩＳは、原寸大のときに各辺が予め定められた寸法（例えば１０ｍｍ）である升目画像ＩＧである。また、図５（Ａ）に示すサイズ画像ＩＳは、基準となる長さを示すスケール線画像ＩＳＣと、原寸大のときの当該スケール線画像ＩＳＣの寸法を示す寸法文字画像ＩＤＣとを含む画像である。また、図６（Ａ）に示すサイズ画像ＩＳは、基準となる長さを示すスケール線画像ＩＳＣと、原寸大のときの当該スケール線画像ＩＳＣの縮尺を示す縮尺文字画像ＩＭとを含む画像である。
【００３６】
例えば、抽出部１０１は、画像読取部５が取得した型紙画像ＩＮＰに含まれるサイズ画像ＩＳを、既知の画像認識処理により、抽出する。例えば、抽出部１０１は、既知の画像認識処理、つまり、画像読取部５が取得した型紙画像データを解析し、ある特定のパターン（例えば図４（Ａ）に示す升目画像ＩＧ、つまり、方眼パターン、図５（Ａ）及び図６（Ａ）に示すスケール線画像ＩＳＣ、つまり、予め定められた長さの直線状の線分を示すパターンなど）を検出することにより、サイズ画像ＩＳが抽出される。
【００３７】
特定部１０２は、抽出部１０１が抽出したサイズ画像ＩＳの大きさを特定する。例えば、特定部１０２は、抽出部１０１が抽出したサイズ画像ＩＳの長さ（つまり、特定のパターンの長さ）を、当該サイズ画像ＩＳの長さに対応する分の画像読取部５での検出画素数から特定する。画像読取部５での検出画素の大きさは既知である。このため、特定部１０２は、サイズ画像ＩＳの長さに対応する分の画像読取部５での検出画素数と検出画素の大きさとの乗算により、サイズ画像ＩＳの長さを特定することができる。
【００３８】
より具体的には、特定部１０２は、特定のパターンが図４（Ａ）に示す升目画像ＩＧである場合には、升目画像ＩＧの各辺の長さに対応する画像読取部５での検出画素数から、升目画像ＩＧの各辺の長さをそれぞれ特定する。ここでは、特定部１０２は、図４（Ａ）に示す升目画像ＩＧの各辺の長さが例えば８ｍｍであると特定されたとする。また、特定部１０２は、特定のパターンが図５（Ａ）に示すスケール線画像ＩＳＣである場合には、図５（Ａ）に示すスケール線画像ＩＳＣの長さに対応する画像読取部５での検出画素数から、当該スケール線画像ＩＳＣの長さを特定する。ここでは、特定部１０２は、図５（Ａ）に示すスケール線画像ＩＳＣの長さが例えば４８ｍｍであると特定されたとする。また、特定部１０２は、特定のパターンが図６（Ａ）に示すスケール線画像ＩＳＣである場合には、図６（Ａ）に示すスケール線画像ＩＳＣの長さに対応する画像読取部５での検出画素数から、当該スケール線画像ＩＳＣの長さを特定する。ここでは、特定部１０２は、図６（Ａ）に示すスケール線画像ＩＳＣの長さが例えば４０ｍｍであると特定されたとする。
【００３９】
寸法取得部１０３は、抽出部１０１が抽出したサイズ画像ＩＳを画像認識又は文字認識することにより当該サイズ画像ＩＳが示す寸法を取得する。
【００４０】
例えば、寸法取得部１０３は、図４（Ａ）に示す場合には、抽出部１０１にて升目画像ＩＧが抽出された場合に、寸法記憶部９２１から予め定められた寸法（例えば１０ｍｍ）を取得する。
【００４１】
また、寸法取得部１０３は、図５（Ａ）に示す場合には、抽出部１０１が抽出したサイズ画像ＩＳ中における文字部分を、既知の文字の切り出し処理を行うことにより検出（抽出）し、この検出した文字部分に対して既知のＯＣＲを行うことによって文字認識することにより、図５（Ａ）に示す寸法文字画像ＩＤＣが表すスケール線画像ＩＳＣの寸法（例えば図５（Ａ）では、６０ｍｍ）を取得する。
【００４２】
また、寸法取得部１０３は、図６（Ａ）に示す場合には、抽出部１０１が抽出したサイズ画像ＩＳ中における文字部分を、既知の文字の切り出し処理を行うことにより検出（抽出）し、この検出した文字部分に対して既知のＯＣＲを行うことによって文字認識することにより、図６（Ａ）に示す縮尺文字画像ＩＭが表すスケール線画像ＩＳＣの縮尺（例えば図６（Ａ）では、１／２０ｍｍ）を取得し、当該縮尺からスケール線画像ＩＳＣの寸法（例えば５０ｍｍ）を取得する。この寸法（例えば５０ｍｍ）は、図６（Ａ）に示す縮尺（１／２０ｍｍ）の値を求める（つまり、１／２０ｍｍ＝５０ｍｍ）ことにより、算出される。
【００４３】
変更部１０４は、画像読取部５にて取得した型紙画像ＩＮＰの縦横比を維持しつつ当該画像の大きさを変更することにより、特定部１０２が特定したサイズ画像ＩＳの大きさを、寸法取得部１０３が取得した前記寸法に一致させた原寸大の型紙画像ＩＡＰに変更する画像処理を実行する。
【００４４】
例えば、変更部１０４は、図４（Ａ）に示すように原寸大でない型紙画像ＩＮＰに升目画像ＩＧが含まれる場合には、図４（Ｂ）に示すように画像読取部５にて取得した型紙画像ＩＮＰの縦横比を維持しつつ当該画像の大きさを変更することにより、特定部１０２が特定した升目画像ＩＧの大きさ（例えば８ｍｍ）を、寸法取得部１０３が取得した寸法（例えば１０ｍｍ）に一致させた原寸大の型紙画像ＩＡＰに変更する。
【００４５】
また、変更部１０４は、図５（Ａ）に示すように原寸大でない型紙画像ＩＮＰにスケール線画像ＩＳＣが含まれる場合には、図５（Ｂ）に示すように画像読取部５にて取得した型紙画像ＩＮＰの縦横比を維持しつつ当該画像の大きさを変更することにより、特定部１０２が特定したスケール線画像ＩＳＣの大きさ（例えば４８ｍｍ）を、寸法取得部１０３が取得した寸法（例えば６０ｍｍ）に一致させた原寸大の型紙画像ＩＡＰに変更する。
【００４６】
また、変更部１０４は、図６（Ａ）に示すように原寸大でない型紙画像ＩＮＰにスケール線画像ＩＳＣが含まれる場合には、図６（Ｂ）に示すように画像読取部５にて取得した型紙画像ＩＮＰの縦横比を維持しつつ当該画像の大きさを変更することにより、特定部１０２が特定したスケール線画像ＩＳＣの大きさ（例えば４０ｍｍ）を、寸法取得部１０３が取得した寸法（例えば５０ｍｍ）に一致させた原寸大の型紙画像ＩＡＰに変更する。
【００４７】
出力部１０５は、変更部１０４が大きさを変更した型紙画像を原寸大の型紙画像ＩＡＰ（図４（Ｂ）、図５（Ｂ）及び図６（Ｂ）を参照）としてＨＤＤ９２に出力する。ＨＤＤ９２は、原寸大の型紙画像ＩＡＰを記憶する。なお、出力部１０５は、原寸大の型紙画像ＩＡＰを画像メモリー３２に出力して記憶させるようにしてもよい。
【００４８】
画像形成部１２は、出力部１０５から出力された原寸大の型紙画像ＩＡＰを記録紙に形成する。例えば、画像形成部１２は、操作者からの操作部４７への印刷指示に基づいて、ＨＤＤ９２に記憶された原寸大の型紙画像ＩＡＰを記録紙に形成する。
【００４９】
次に、第１実施形態の画像形成装置１において、型紙印刷処理を、図３に示すフローチャートを参照して説明する。なおここでは、原寸大でない型紙を表す型紙画像ＩＮＰを例えば画像読取部５（画像取得部の一例）にて取得し、原寸大でない型紙画像ＩＮＰを原寸大の型紙画像ＩＡＰに変換して型紙印刷することについて説明する。
【００５０】
制御部１００は、型紙印刷モードがオンであるか否かを判定する（Ｓ１１）。例えば、制御部１００は、操作部４７が型紙印刷モード指示を受け付けると、型紙印刷モードフラグをオンにするため、型紙印刷モードフラグがオンであれば、型紙印刷モードがオンであると判定する（Ｓ１１「Ｙｅｓ」）。一方、制御部１００は、型紙印刷モードがオフである場合（Ｓ１１「Ｎｏ」）、本処理を終了させる。
【００５１】
制御部１００が型紙印刷モードであると判定した場合（Ｓ１１「Ｙｅｓ」）、画像読取部５は、原寸大でない型紙画像ＩＮＰが印刷された印刷物を読み取ることで、当該印刷物に表されている型紙画像ＩＮＰ（入力画像）を取得する（Ｓ１２）。具体的には、操作者が例えばインターネット上で入手した原寸大でない型紙画像ＩＮＰを印刷した印刷紙が、操作者によって画像形成装置１の原稿搬送部６に載置される。そして、制御部１００は、セットされた印刷紙のスキャン開始を指示する開始ボタンを表示部４７３に表示させる。そして、操作者が開始ボタンに触れると、この操作者による接触操作が表示部４７３のタッチパネル機能によって検出され、操作部４７からスキャン開始信号が制御部１００に出力される。制御部１００は、スキャン開始信号を受信すると、原稿搬送部６に、載置された印刷紙の搬送を開始させ、原稿搬送部６により搬送される印刷紙の画像が画像読取部５によって読み取られる。つまり、画像読取部５は、操作者が入手した原寸大でない型紙画像ＩＮＰ（図４（Ａ）、図５（Ａ）及び図６（Ａ）を参照）を取得する。
【００５２】
なお、Ｓ１２では、原寸大でない型紙を示す印刷物を画像読取部５にて読み取ることで、原寸大でない型紙画像ＩＮＰを取得しているが、これに限定されない。例えば、原寸大でない型紙画像ＩＮＰ（つまり、型紙画像データ）をコンピューター２００から受信したり、携帯端末などで撮影された原寸大でない型紙画像ＩＮＰ（つまり、型紙画像データ）を当該携帯端末から受信したりすることで原寸大でない型紙画像ＩＮＰを取得するようにしてもよい。
【００５３】
Ｓ１２のあと、制御部１００は、原寸大でない型紙画像ＩＮＰ（入力画像）にサイズ画像ＩＳがあるか否かを判定する（Ｓ１３）。具体的には、抽出部１０１は、画像読取部５が取得した型紙画像ＩＮＰに含まれる画像であって型紙画像の原寸を特定するためのサイズ画像ＩＳを抽出する。
【００５４】
抽出部１０１は、図４（Ａ）に示す場合には、サイズ画像ＩＳとして升目画像ＩＧを抽出する。また、抽出部１０１は、図５（Ａ）に示す場合には、サイズ画像ＩＳとしてスケール線画像ＩＳＣを抽出する。また、抽出部１０１は、図６（Ａ）に示す場合には、サイズ画像ＩＳとしてスケール線画像ＩＳＣを抽出する。制御部１００は、抽出部１０１にてサイズ画像ＩＳが抽出されると、型紙画像ＩＮＰ（入力画像）にサイズ画像ＩＳがあると判定し（Ｓ１３「Ｙｅｓ」）、特定部１０２は、抽出部１０１が抽出したサイズ画像ＩＳの大きさを特定する（Ｓ１４）。
【００５５】
Ｓ１４のあと、寸法取得部１０３は、抽出部１０１が抽出したサイズ画像ＩＳを画像認識又は文字認識することにより当該サイズ画像ＩＳが示す寸法を取得する（Ｓ１５）。例えば、寸法取得部１０３は、図４（Ａ）に示す場合には、抽出部１０１にて升目画像ＩＧが抽出された場合に、寸法記憶部９２１から予め定められた寸法（例えば１０ｍｍ）を取得する。
【００５６】
また、寸法取得部１０３は、図５（Ａ）及び図６（Ａ）に示す場合には、抽出部１０１が抽出したサイズ画像ＩＳ中における文字部分を、既知の文字の切り出し処理を行うことにより検出（抽出）し、この検出した文字部分に対して既知のＯＣＲを行うことによって文字認識することにより、図５（Ａ）に示す寸法文字画像ＩＤＣの場合には当該寸法文字画像ＩＤＣが表すスケール線画像ＩＳＣの寸法を取得し、図６（Ａ）に示す縮尺文字画像ＩＭの場合には当該縮尺文字画像ＩＭが表すスケール線画像ＩＳＣの縮尺を取得し、当該縮尺からスケール線画像ＩＳＣの寸法を取得する。
【００５７】
Ｓ１５のあと、変更部１０４は、画像読取部５にて取得した型紙画像ＩＮＰの縦横比を維持しつつ当該画像の大きさを変更することにより、特定部１０２が特定したサイズ画像ＩＳの大きさを、寸法取得部１０３が取得した前記寸法に一致させる（Ｓ１６）。
【００５８】
例えば、変更部１０４は、図４（Ａ）に示すように原寸大でない型紙画像ＩＮＰに升目画像ＩＧが含まれる場合には、図４（Ｂ）に示すように画像読取部５にて取得した型紙画像ＩＮＰの縦横比を維持しつつ当該画像の大きさを変更することにより、特定部１０２が特定した図４（Ａ）に示す升目画像ＩＧの大きさ（例えば８ｍｍ）を、寸法取得部１０３が取得した寸法（例えば１０ｍｍ）に一致させる。
【００５９】
また、変更部１０４は、図５（Ａ）に示すように原寸大でない型紙画像ＩＮＰにスケール線画像ＩＳＣが含まれる場合には、図５（Ｂ）に示すように画像読取部５にて取得した型紙画像ＩＮＰの縦横比を維持しつつ当該画像の大きさを変更することにより、特定部１０２が特定した図５（Ａ）に示すスケール線画像ＩＳＣの大きさ（例えば４８ｍｍ）を、寸法取得部１０３が取得した寸法（例えば６０ｍｍ）に一致させる。
【００６０】
また、変更部１０４は、図６（Ａ）に示すように原寸大でない型紙画像ＩＮＰにスケール線画像ＩＳＣが含まれる場合には、図６（Ｂ）に示すように画像読取部５にて取得した型紙画像ＩＮＰの縦横比を維持しつつ当該画像の大きさを変更することにより、特定部１０２が特定した図６（Ａ）に示すスケール線画像ＩＳＣの大きさ（例えば４０ｍｍ）を、寸法取得部１０３が取得した寸法（例えば５０ｍｍ）に一致させる。
【００６１】
Ｓ１６のあと、出力部１０５は、変更部１０４が大きさを変更した型紙画像を原寸大の型紙画像ＩＡＰとしてＨＤＤ９２に出力する（Ｓ１７）。
【００６２】
Ｓ１７のあと、画像形成部１２は、出力部１０５から出力された原寸大の型紙画像ＩＡＰを記録紙に形成する（Ｓ１８）。制御部１００は、Ｓ１８のあと、本処理を終了させる。
【００６３】
一方、Ｓ１３において、制御部１００は、型紙画像ＩＮＰ（入力画像）にサイズ画像ＩＳがないと判定すると（Ｓ１３「Ｎｏ」）、型紙印刷を中止する（Ｓ１９）。そして、制御部１００は、Ｓ１９のあと、本処理を終了させる。
【００６４】
このように第１実施形態の型紙画像処理装置によれば、画像読取部５は、原寸大でない型紙を表す型紙画像ＩＮＰを取得する。抽出部１０１は、画像読取部５が取得した型紙画像ＩＮＰに含まれる画像であって型紙画像ＩＮＰの原寸を特定するためのサイズ画像ＩＳを抽出する。特定部１０２は、抽出部１０１が抽出したサイズ画像ＩＳの大きさを特定する。寸法取得部１０３は、抽出部１０１が抽出したサイズ画像ＩＳを画像認識又は文字認識することにより当該サイズ画像ＩＳが示す寸法を取得する。変更部１０４は、画像読取部５にて取得した型紙画像ＩＮＰの縦横比を維持しつつ当該画像の大きさを変更することにより、特定部１０２が特定したサイズ画像ＩＳの大きさを、寸法取得部１０３が取得した寸法に一致させる。出力部１０５は、変更部１０４が大きさを変更した画像を原寸大の型紙画像ＩＡＰとして出力する。このため、操作者が、原寸大でない型紙画像ＩＮＰを原寸大の型紙画像ＩＡＰに変更する作業を行う必要がない。よって、原寸大でない型紙画像ＩＮＰから原寸大の型紙画像ＩＡＰを手間なくかつ迅速に作成することができる。
【００６５】
また、画像読取部５が取得した型紙画像ＩＮＰに、サイズ画像ＩＳとしての升目画像ＩＧが含まれている場合には、寸法取得部１０３は、抽出部１０１にて升目画像ＩＧが抽出された場合に、寸法記憶部から当該升目画像ＩＧの寸法を取得する。そして、変更部１０４は、図４（Ｂ）に示すように画像読取部５にて取得した型紙画像ＩＮＰの縦横比を維持しつつ当該画像の大きさを変更することにより、特定部１０２が特定した升目画像ＩＧの大きさを、寸法取得部１０３が取得した当該升目画像ＩＧの元の寸法に一致させる。このため、画像読取部５が取得した型紙画像ＩＮＰにサイズ画像ＩＳとしての升目画像ＩＧが含まれている場合には、升目画像ＩＧに基づいて、原寸大でない型紙画像ＩＮＰから原寸大の型紙画像ＩＡＰを手間なくかつ迅速に作成することができる。
【００６６】
また、画像読取部５が取得した型紙画像ＩＮＰに、サイズ画像ＩＳを構成するスケール線画像ＩＳＣ及び寸法文字画像ＩＤＣが含まれている場合には、寸法取得部１０３は、抽出部１０１が抽出した寸法文字画像ＩＤＣを文字認識することにより、寸法文字画像ＩＤＣが示す寸法を取得する。そして、変更部１０４は、図５（Ｂ）に示すように画像読取部５にて取得した型紙画像ＩＮＰの縦横比を維持しつつ当該画像の大きさを変更することにより、特定部１０２が特定したスケール線画像ＩＳＣの大きさを、寸法取得部１０３が取得した寸法に一致させる。このため、画像読取部５が取得した型紙画像ＩＮＰにサイズ画像ＩＳを構成するスケール線画像ＩＳＣ及び寸法文字画像ＩＤＣが含まれている場合には、スケール線画像ＩＳＣ及び寸法文字画像ＩＤＣに基づいて、原寸大でない型紙画像ＩＮＰから原寸大の型紙画像ＩＡＰを手間なくかつ迅速に作成することができる。
【００６７】
また、画像読取部５が取得した型紙画像ＩＮＰに、サイズ画像ＩＳを構成するスケール線画像ＩＳＣ及び縮尺文字画像ＩＭが含まれている場合には、寸法取得部１０３は、抽出部１０１が抽出した縮尺文字画像ＩＭを文字認識することにより、スケール線画像ＩＳＣの縮尺を取得し、当該縮尺からスケール線画像ＩＳＣの寸法を取得する。そして、変更部１０４は、図６（Ｂ）に示すように画像読取部５にて取得した型紙画像ＩＮＰの縦横比を維持しつつ当該画像の大きさを変更することにより、特定部１０２が特定したスケール線画像ＩＳＣの大きさを、寸法取得部１０３が取得したスケール線画像ＩＳＣの寸法に一致させる。このため、画像読取部５が取得した型紙画像ＩＮＰにサイズ画像ＩＳを構成するスケール線画像ＩＳＣ及び縮尺文字画像ＩＭが含まれている場合には、スケール線画像ＩＳＣ及び縮尺文字画像ＩＭに基づいて、原寸大でない型紙画像ＩＮＰから原寸大の型紙画像ＩＡＰを手間なくかつ迅速に作成することができる。
【００６８】
このように第１実施形態の画像形成装置１によれば、原寸大でない型紙画像ＩＮＰから原寸大の型紙画像ＩＡＰを手間なくかつ迅速に記録紙に印刷することができる。
【００６９】
次に、第２実施形態にかかる画像形成装置１について、図７、図８を用いて説明する。図７は、第２実施形態にかかる画像形成装置の主要内部構成例を示す機能ブロック図である。図８（Ａ）は原寸大でない斜視の型紙画像の一例を示す図、（Ｂ）は（Ａ）に示した斜視画像から正対画像に変更された型紙画像の一例を示す図である。
【００７０】
前述した第１実施形態にかかる画像形成装置１は、原寸大でない型紙画像が正対画像（つまり、正面視の画像）を原寸大の型紙画像に変更して印刷する構成である。これに対して、第２実施形態にかかる画像形成装置１は、原寸大でない斜視の型紙画像（つまり、斜視画像）を正対画像に変換して、この正対画像を原寸大の型紙画像に変更して印刷する構成となっている。
【００７１】
具体的には、第２実施形態にかかる画像形成装置１は、図７に示すように、判定部１０６及び変換部１０７がさらに追加された構成となっている。このため第２実施形態では、判定部１０６及び変換部１０７について説明する。
【００７２】
第２実施形態の制御ユニット１０は、更に、判定部１０６と、変換部１０７と、を備える。制御ユニット１０は、ＨＤＤ９２に記憶された制御プログラムが上記プロセッサーで実行されることにより、制御部１００と、抽出部１０１と、特定部１０２と、寸法取得部１０３と、変更部１０４と、出力部１０５と、判定部１０６と、変換部１０７として機能する。なお、制御ユニット１０の上記の各構成要素は、前述の制御プログラムに基づく動作によらず、それぞれハード回路により構成されてもよい。
【００７３】
判定部１０６は、画像読取部５にて取得した型紙画像ＩＮＰが矩形状であるか否かを判定する。例えば、判定部１０６は、図８（Ａ）に示すように、画像読取部５にて取得した原寸大でない型紙画像ＩＮＰの横辺と縦辺とが直交するか否かにより、型紙画像ＩＮＰが矩形状であるか否かを判定する。また、判定部１０６は、画像読取部５にて取得した原寸大でない型紙画像ＩＮＰの四隅の座標に基づいて、型紙画像ＩＮＰが矩形状であるか否かを判定するようにしてもよい。
【００７４】
変換部１０７は、判定部１０６が画像読取部５にて取得した型紙画像ＩＮＰが矩形状でないと判定すると、画像読取部５にて取得した型紙画像ＩＮＰを矩形状に変換する画像処理を実行する。例えば、変換部１０７は、判定部１０６が画像読取部５にて取得した図８（Ａ）に示す画像が矩形状でないと判定すると、画像読取部５にて取得した矩形状でない画像を、既知のホモグラフィ変換（射影変換を用いて、ある平面を別の平面に射影する変換）により、図８（Ｂ）に示すように矩形状に変換する。
【００７５】
抽出部１０１は、変換部１０７が矩形状に変換した画像（図８（Ｂ）参照）に含まれるサイズ画像ＩＳを抽出する。そして、特定部１０２は、前述の第１実施形態の場合と同様に、抽出部１０１が抽出したサイズ画像ＩＳの大きさを特定する。寸法取得部１０３は、前述の第１実施形態の場合と同様に、抽出部１０１が抽出したサイズ画像ＩＳを画像認識又は文字認識することにより当該サイズ画像が示す寸法（例えば１０ｍｍ）を取得する。変更部１０４は、変換部１０７が矩形状に変換した図８（Ｂ）に示す画像の縦横比を維持しつつ当該画像の大きさを変更することにより、特定部１０２が特定したサイズ画像ＩＳの大きさを、寸法取得部１０３が取得した寸法（例えば１０ｍｍ）に一致させた原寸大の型紙画像ＩＡＰに変更する。
【００７６】
この第２実施形態の画像形成装置１によれば、画像読取部５にて取得した型紙画像ＩＮＰが矩形状でない場合、すなわち、当該画像が正面視の画像（正対画像）ではなく斜視画像である場合には、斜視画像を正対画像に変換する。そして、この正対画像に含まれるサイズ画像に基づいて、原寸大でない型紙画像ＩＮＰから原寸大の型紙画像ＩＡＰに変更する。よって、図８（Ａ）に示すように原寸大でない斜視の型紙画像から図８（Ｂ）に示す原寸大の型紙画像を手間なくかつ迅速に作成することができる。
【００７７】
次に、変形例にかかる画像形成装置１について、図９を用いて説明する。図９は、変形例にかかる型紙印刷処理の一例を示すフローチャートである。
【００７８】
なお、図９に示すＳ１１〜Ｓ１９は、前述の第１実施形態の図３に示すフローチャートと同じであるため、図９に示すＳ２０及びＳ２１について説明する。
【００７９】
当該変形例にかかる画像形成装置１の表示部４７３は、制御部１００による制御の下、画像読取部５にて取得した型紙画像ＩＮＰにおいてサイズ画像ＩＳが抽出部１０１にて抽出されなかった場合に、操作者に対してサイズ画像ＩＳの追記を促す報知表示（報知）を行う。なお、表示部４７３は、特許請求の範囲における報知部の一例となる。
【００８０】
操作部４７は、サイズ画像ＩＳが追記された型紙画像を取得する指示を受け付ける。
【００８１】
画像読取部５は、操作部４７が、サイズ画像ＩＳが追記された型紙画像を取得する指示を受けた場合に、当該画像を取得する。
【００８２】
図９に示すように、Ｓ１３において、制御部１００は、型紙画像ＩＮＰ（入力画像）にサイズ画像ＩＳがないと判定すると（Ｓ１３「Ｎｏ」）、画像読取部５にて取得した型紙画像ＩＮＰにおいてサイズ画像ＩＳが抽出部１０１にて抽出されなかった場合に、操作者に対してサイズ画像ＩＳの追記を促す報知表示を表示部４７３に表示させる（Ｓ２０）。例えば、制御部１００は、「読み取った印刷紙にサイズ画像を追記して下さい」という文字表示と、サイズ画像ＩＳの追記例を示す例示表示と、サイズ画像ＩＳが追記された印刷紙がセットされた場合の印刷紙の再スキャン開始を指示する再スキャン開始ボタンの表示とを、表示部４７３に表示させる。
【００８３】
サイズ画像ＩＳが追記された印刷紙が操作者によって原稿搬送部６にセットされ、操作者が表示部４７３の再スキャン開始ボタンに触れると（Ｓ２１「Ｙｅｓ」）、この操作者による接触操作が表示部４７３のタッチパネル機能によって検出され、操作部４７から再スキャン開始信号が制御部１００に出力される。制御部１００は、再スキャン開始信号を受信すると、原寸大でない型紙画像ＩＮＰ（入力画像）にサイズ画像ＩＳがあるか否かを判定する（Ｓ１３）
【００８４】
当該変形例にかかる画像形成装置１によれば、画像読取部５が取得した型紙画像ＩＮＰにサイズ画像ＩＳが含まれていない場合には、画像読取部５が取得した型紙画像ＩＮＰに操作者が追記したサイズ画像ＩＳに基づいて、原寸大でない型紙画像ＩＮＰから原寸大の型紙画像ＩＡＰを手間なくかつ迅速に作成することができる。
【００８５】
なお、上述した各実施形態及び変形例では、画像読取部５が、原寸大でない型紙画像ＩＮＰが印刷された印刷紙を読み取っているが、原寸大でない型紙画像ＩＮＰ（型紙画像データ）をコンピューター２００から受信したり、携帯端末などで撮影された原寸大でない型紙画像ＩＮＰ（つまり、型紙画像データ）を当該携帯端末から受信したりすることで取得するようにしてもよい。
【００８６】
なお、図１乃至図９を用いて上記実施形態等に示した構成及び処理は、本発明の一実施形態に過ぎず、本発明の構成及び処理はこれに限定されるものではない。
【符号の説明】
【００８７】
１    画像形成装置
５    画像読取部（画像取得部）
１２    画像形成部
１０    制御ユニット
４７    操作部
１００    制御部
１０１    抽出部
１０２    特定部
１０３    寸法取得部
１０４    変更部
１０５    出力部
１０６    判定部
１０７    変換部
３００    型紙画像処理装置
４７３    表示部（報知部）
９２１    寸法記憶部
【図１】
2020108127.tif 000003
【図２】
2020108127.tif 000004
【図３】
2020108127.tif 000005
【図４】
2020108127.tif 000006
【図５】
2020108127.tif 000007
【図６】
2020108127.tif 000008
【図７】
2020108127.tif 000009
【図８】
2020108127.tif 000010
【図９】
2020108127.tif 000011